(57)【要約】      （修正有）【課題】音声再生機能を有する帽子を提供する。【解決手段】音声再生機能を有する帽子は、帽子本体、帽子本体から延びるつばおよび１以上の細型スピーカを備える。つばは、支持層および支持層の表面を覆う装飾層を備える。１以上の細型スピーカは、支持層と装飾層との間に配設される。本帽子を着用するだけで、ユーザは、イアホンなしでも、屋外で音楽を聴くことができる。また、着用者は、帽子のマイクロホンを介して電話の呼び出しに応えることができる。本帽子のスピーカは、細型でつばに取り付けることができるため、外見上、普通の帽子と同様である。【選択図】図１
0003165019.tif 000002
【実用新案登録請求の範囲】
【請求項１】
音声再生機能を有する帽子であって、
帽子本体と、
帽子本体から延び、かつ支持層および支持層の表面を覆う装飾層を有するつばと、
支持層と装飾層との間に配設される１以上の細型スピーカとを備える、帽子。
【請求項２】
１以上の細型スピーカが、容量スピーカまたは圧電スピーカである、請求項１に記載の帽子。
【請求項３】
１以上の細型スピーカが、
複数の貫通口を有する導電性プレートと、
導電性プレートの下表面上に配設され、膜部材および電極層を有するエレクトレット振動板を備え、膜部材が静電荷を有しかつ電極層が膜部材の下表面上に形成され、さらに、
膜部材の上表面と導電性プレートとの間に配設される複数のスペーサとを備える、請求項２に記載の帽子。
【請求項４】
スペーサが両面テープで製作される、請求項３に記載の帽子。
【請求項５】
１以上の細型スピーカが、音源から出力されるそれぞれ左および右チャネルのオーディオ信号を再生するよう構成される２つのスピーカを含む、請求項３に記載の帽子。
【請求項６】
２つスピーカのエレクトレット振動板の膜部材が、一体形成される、請求項５に記載の帽子。
【請求項７】
１以上の細型スピーカに電気的に接続され、１以上の細型スピーカを駆動するよう構成される駆動回路と、
駆動回路に電気的に接続される無線信号送受信モジュールとをさらに備え、駆動回路がさらに無線信号送受信モジュールを介して外部電子装置からのオーディオ信号を受信するよう構成される、請求項１に記載の帽子。
【請求項８】
帽子本体の内部表面上に配設される収容バッグをさらに備え、駆動回路および無線信号送受信モジュールが収容バッグ内に配設される、請求項７に記載の帽子。
【請求項９】
駆動回路および無線信号送受信モジュールに電気的に接続され、１以上のスイッチを有する制御素子をさらに含み、制御素子が、無線信号送受信モジュールを介して外部電子装置へ無線制御信号を送信するよう構成される、請求項７に記載の帽子。
【請求項１０】
制御素子のスイッチが、外部電子装置において実行されるマルチメディアプログラムを無線で操作するよう構成される、請求項９に記載の帽子。
【請求項１１】
制御素子のスイッチが、つばのエッジに配設される、請求項９に記載の帽子。
【請求項１２】
装飾層が、ステッチで支持層上に縫い付けられ、制御素子のスイッチがステッチと支持層のエッジとの間および支持層と装飾層との間の空間に配設される、請求項１１に記載の帽子。
【請求項１３】
無線信号送受信モジュールに電気的に接続され、音声データ信号を発生して、この音声データ信号を無線信号送受信モジュールを介して外部電子装置へ送信するよう構成されるマイクロホンをさらに含む、請求項７に記載の帽子。
【請求項１４】
マイクロホンが、つばのエッジ上に配設される、請求項１３に記載の帽子。
【請求項１５】
装飾層が、ステッチで支持層上に縫い付けられ、マイクロホンがステッチと支持層のエッジとの間および支持層と装飾層との間の空間に配設される、請求項１４に記載の帽子。
【請求項１６】
駆動回路に電気的に接続され、かつ、つばの上に配設される太陽電池をさらに含む、請求項７に記載の帽子。
【考案の詳細な説明】
【技術分野】
【０００１】
（関連出願との相互参照）
本考案は、２００９年１０月１６日出願の台湾特許出願連続番号第０９８１３５２２０号の優先権を主張する。当該出願の全開示を、ここに引用により援用する。
【０００２】
（考案の分野）
この考案は、帽子に関連し、かつ特に、音声再生機能を有する帽子に関連する。
【背景技術】
【０００３】
（関連技術の説明）
従来技術のイアホンは、目立たず携帯性が高いという利点がある。しかしながら、イアホンを長時間使い続けると、聴覚が損なわれ、ユーザは耳を傷めることになる。また、イアホン着用時は、周囲の雑音がかき消される可能性があり、ユーザは、通常は潜在的危険を知らせる外部の音に気が付かない。その結果、命の危険を伴うような事故に遭う可能性がある。
【０００４】
上記の問題を解決するため、特許文献１は、オーディオアセンブリを有する帽子を開示する。帽子は、つばの上に形成された開口を有し、スピーカ、バッテリ、駆動回路および他の電子素子を備えるオーディオアセンブリがこの開口内に配置される。このようにして、ユーザは、イアホンを必要とせず、上記の帽子を着用することによって、屋外でも音楽を聴くことができる。
【０００５】
しかしながら、上記の帽子のオーディオアセンブリは、つばの開口内に配置される。これでは、見栄えが良いとは言えず、また、オーディオアセンブリも、つばの上で振動しやすい。さらに、上記の帽子が使用するダイナミックスピーカは、かさばって重い。ダイナミックスピーカにバッテリと駆動回路を合わせて、つばの上に装着すれば、つばは重くなる。その結果、上記の帽子のつばは、下向きに傾斜することになり、帽子着用時の着用者の視界を妨げることになる。
【先行技術文献】
【特許文献】
【０００６】
【特許文献１】米国特許第７０４４６１５号
【考案の概要】
【考案が解決しようとする課題】
【０００７】
本考案による音声再生機能を有する帽子が提供される。
【課題を解決するための手段】
【０００８】
１実施例において、本考案による音声再生機能を有する帽子は、帽子本体、つばおよび１以上の細型スピーカを備える。つばは、帽子本体から延びて、支持層および支持層の表面を覆う装飾層を有する。１以上の細型スピーカが、支持層と装飾層との間に配設される。
【０００９】
本考案の帽子によれば、１以上の細型スピーカは、容量スピーカまたは圧電スピーカが可能である。本実施例においては、容量スピーカは、導電性プレート、エレクトレット振動板および複数のスペーサを備える。導電性プレートは、複数の貫通口を有する。エレクトレット振動板は、導電性プレートの下表面上に配設され、かつ膜部材と電極層を有し、膜部材が静電荷を有し、かつ電極層が膜部材の下表面上に形成される。スペーサが、膜部材の上表面と導電性プレートとの間に配設される。
【００１０】
本考案によれば、１以上の細型スピーカが、音源から出力されるそれぞれ左および右チャネルのオーディオ信号を再生するよう構成される２つのスピーカを含む。
【００１１】
本考案の帽子によれば、１以上の細型スピーカが、それぞれ音源から出力される左右のチャネルのオーディオ信号を再生するよう構成される２つのスピーカを含む。
【００１２】
また、本考案の帽子は、駆動回路、無線信号送受信モジュールおよび制御素子をさらに備える。駆動回路は、１以上の細型スピーカを駆動するよう構成される。無線信号送受信モジュールは、外部電子装置からのオーディオ信号を受信して、１以上の細型スピーカが再生できるように、そのオーディオ信号を駆動回路を介して１以上の細型スピーカに送る。制御素子は、無線信号送受信モジュールを介して外部電子装置へ無線制御信号を送信するように構成される。
【００１３】
本考案の上記ならびに他の目的、特徴および効果については、添付の図面を参照して行う以下の詳細な説明からより明らかになるであろう。
【図面の簡単な説明】
【００１４】
【図１】本考案の帽子の斜視図である。
【図２】本考案の帽子の電子素子を示すブロック図である。
【図３】本考案の帽子の単一振動板スピーカの断面図である。
【図４】本考案の帽子の二重振動板スピーカの断面図である。
【図５】本考案の帽子の底面図である。
【考案を実施するための形態】
【００１５】
（好ましい実施例の詳細な説明）
図１、図２および図５を参照して、本考案の音声再生機能を有する帽子１００は、帽子本体１１０、つば１２０および１以上の細型スピーカ１３０を備える。帽子本体１１０は、ユーザの頭部に着用するよう構成され、開口１１２、外部表面１１４および内部表面１１６を有する。ユーザが、開口１１２を通して頭の上に帽子本体１１０を着用すると、内部表面１１６が頭部と接触しかつ外部表面１１４が外部に露出されることになる。つば１２０は、シート状で、帽子本体１１０の縁の一部から延びる。他の実施例では、つば１２０は環状で、帽子本体１１０の縁全体から延びる。
【００１６】
図２を参照して、帽子１００は、駆動回路１４０、無線信号送受信モジュール１５０、制御素子１６０、マイクロホン１７０および電源１８０をさらに備える。無線信号送受信モジュール１５０は、無線信号を外部電子装置１９０に無線送信するかまたは外部電子装置１９０からの無線信号を受信するよう構成される。この考案では、無線信号送受信モジュール１５０は、ブルートゥースモジュールでもよいし、またはＷｉ-Ｆｉモジュールでもよい。駆動回路１４０は、１以上のスピーカ１３０に電気的に接続されて、１以上のスピーカ１３０を駆動して、音声を再生させる。さらに、駆動回路１４０は、無線信号送受信モジュール１５０にも電気的に接続されて、音声データ信号や音楽データ信号等のオーディオ信号を、無線信号送受信モジュール１５０を介して、外部電子装置１９０から受信するようになっている。無線信号送受信モジュール１５０は、無線で、外部電子装置１９０からオーディオ信号を受信でき、かつこのオーディオ信号を駆動回路１４０へ送信できる。その後、駆動回路１４０は、このオーディオ信号を１以上のスピーカ１３０へ送信して、その１以上のスピーカ１３０にオーディオ信号の再生をさせる。マイクロホン１７０は、無線送受信モジュール１５０に電気的に接続されかつ音声データ信号を発生し、これを無線信号送受信モジュール１５０を介して外部電子装置１９０へ送信するよう構成される。このような設計で、電子装置１９０が電話機である場合には、着用者が音声通信を行えるようマイクロホン１７０を構成することができる。制御素子１６０は、駆動回路１４０、無線信号送受信モジュール１５０および電源１８０に電気的に接続される。制御素子１６０は、駆動回路１４０への電力供給のオン・オフを切り替えることができる複数のプッシュボタン式のスイッチ１６２を有し、１以上のスピーカ１３０の出力の上げ下げを行って、オーディオ信号再生の開始または停止を行うことができる。また、制御素子１６０は、駆動回路１４０を制御して１以上のスピーカ１３０の音量を調節することができるよう構成される。また、制御素子１６０は、無線信号送受信モジュール１５０を介して、無線制御信号を外部電子装置１９０へ送信することもでき、それにより電子装置１９０を制御する。たとえば、スイッチ１６２を使用して、電子装置１９０において実行される、音楽の再生、音楽の再生停止、再生する音楽の選択または音楽の音量調節等のマルチメディアプログラムを無線で操作することができる。電源１８０も駆動回路１４０に電気的に接続して、１以上のスピーカ１３０へ電力を供給するようにする。この実施例においては、電源１８０は、一般のバッテリまたは太陽電池が可能である。また、外部装置１９０は、携帯電話、スマートフォン、携帯情報端末（ＰＤＡ）、ＭＰ３プレーヤまたは音楽もしくは音声再生機能を有するプレーヤが可能である。他の実施例では、帽子１００は、駆動回路１４０に電気的に接続されたイアホンジャック１３１をさらに備え、外部電子装置１９０等の音源から出力されたオーディオ信号を帽子１００へ有線で送信でき、イアホンジャック１３１を介して再生できるようになっている。
【００１７】
本考案によれば、１以上のスピーカ１３０は、つば１２０の上に配置される。帽子１００は、外部電子装置１９０等の音源から出力されるそれぞれ左および右チャネルのオーディオ信号を再生するよう構成される２つのスピーカ１３０を備えることが好ましい。本考案では、１以上のスピーカ１３０は、圧電スピーカまたはフレキシブル容量スピーカが可能である。
【００１８】
スピーカ１３０が、フレキシブル容量スピーカである場合、図３の単一振動板スピーカ３００が可能である。スピーカ３００は、電極として機能する可撓性導電性プレート３４０を備える。導電性プレート３４０は、複数の貫通口３４２を有しかつ金属プレートまたは透明導電性膜が可能である。エレクトレット振動板３２０は、導電性プレート３４０の下表面上に配設され、かつ膜部材３２２および膜部材３２２の下表面上に形成された電極層３２４を備える。膜部材３２２は、誘電材料からなりかつ静電荷を有する。スピーカ３００は、膜部材３２２の上表面と導電性プレート３４０との間に配設される複数のスペーサ３５０をさらに備え、エレクトレット振動板３２０と導電性プレート３４０との間に一定の間隔を保つ。
【００１９】
スピーカ３００を作動させるため、エレクトレット振動板３２０が導電性プレート３４０および電極層３２４からのクーロン力を受け、プッシュ・プル効果をもたらすよう、駆動回路１４０は、元の音声信号と同じ位相および逆の位相の電気信号、すなわち差分信号を導電性プレート３４０および電極層３２４それぞれに印加する必要がある。プッシュ・プル効果により、エレクトレット振動板３２０は、電気信号に従って振動することになる。エレクトレット振動板３２０の振動が、空気を押して音を作り出す。
【００２０】
本考案によれば、帽子１００は、つば１２０上に配設される２つのスピーカ１３０を備え、スピーカ１３０は、図４の二重振動板スピーカ４００ａおよび４００ｂが可能である。スピーカ４００ａは、電極として機能する可撓性導電性プレート４４０ａを備える。導電性プレート４４０ａは、複数の貫通口４４２ａを有し、かつ金属プレートで製作される。エレクトレット振動板４２０ａは、導電性プレート４４０ａ上に積層され、かつ膜部材４２２ａおよび膜部材４２２ａの上表面上に形成される電極層４２４ａを備える。膜部材４２２ａは、誘電材料から製作されかつ静電荷を有する。複数のスペーサ４５０ａが、膜部材４２２ａの下表面と導電性プレート４４０ａとの間に配設されて、エレクトレット振動板４２０ａと導電性プレート４４０ａとの間に一定の間隔を保つ。また、エレクトレット振動板４８０ａは、導電性プレート４４０ａの下表面上に配設されかつ膜部材４８２ａおよび膜部材４８２ａの下表面上に形成される電極層４８４ａを備える。膜部材４８２ａは、誘電材料から製作されかつ静電荷を有する。複数のスペーサ４７０ａが膜部材４８２ａの上表面と導電性プレート４４０ａとの間に配設され、エレクトレット振動板４８０ａと導電性プレート４４０ａとの間に一定の間隔を保つ。スピーカ４００ｂは、可撓性導電性プレート４４０ｂ、膜部材４２２ｂおよび電極層４２４ｂを備えるエレクトレット振動板４２０ｂ、複数のスペーサ４５０ｂ、膜部材４８２ｂおよび電極層４８４ｂを備えるエレクトレット振動板４８０ｂならびに複数のスペーサ４７０ｂを備える。これらの素子は、それぞれ、可撓性導電性プレート４４０ａ、エレクトレット振動板４２０ａ、スペーサ４５０ａ、エレクトレット振動板４８０ａおよびスペーサ４７０ａと同じ構成と機能を有する。したがって、ここでは、これらの素子については、これ以上の説明は省略する。
【００２１】
スピーカ４００ａを作動させるために、駆動回路１４０は、それぞれ電極層４２４ａおよび４８４ａに、同じ位相の第１の電気信号を印加する必要がある。導電性プレート４４０ａは、接地されるかまたは駆動回路１４０により第１の電気信号の位相と反対の位相の第２の電気信号を印加される。同様に、駆動回路１４０は、それぞれ電極層４２４ｂおよび４８４ｂに対して、同じ位相を有する第３の電気信号を印加する必要がある。導電性プレート４４０ｂは、接地されるかまたは駆動回路１４０により第３の電気信号と逆の位相の第４の電気信号を印加される。この実施例における二重振動板スピーカは、２００９年、５月１５日出願の「電子装置及びその電気音響変換器（Ｅｌｅｃｔｒｏｎｉｃ  ｄｅｖｉｃｅ  ａｎｄ  ｅｌｅｃｔｒｏ−ａｃｏｕｓｔｉｃ  ｔｒａｎｓｄｕｃｅｒ  ｔｈｅｒｅｏｆ）」と題する、権利者が共通でかつ同時係属中の台湾特許出願連続番号第０９８１１６１２９号にも記載される。上記出願におけるこの二重振動板スピーカの開示を、ここに引用により援用する。
【００２２】
この実施例において、エレクトレット振動板４２０ａおよび４２０ｂの膜部材４２２ａおよび４２２ｂを、一体形成することができる。詳細には、膜部材４２２ａおよび４２２ｂは、同じ膜４２２から製作される。電極層４２４ａおよび４２４ｂは、膜４２２上に形成されかつ相互から電気的に分離される。同様に、エレクトレット振動板４８０ａおよび４８０ｂの膜部材４８２ａおよび４８２ｂも、同じ膜４８２上に一体に形成することができ、かつ電極層４８４ａおよび４８４ｂは、膜４８２上に形成され、相互から電気的に分離される。エレクトレット振動板４２０ａおよび４２０ｂを相互から独立して振動させかつエレクトレット振動板４８０ａおよび４８０ｂを相互から独立して振動させるためには、膜４２２に取り付けた一片の接着材４６２を膜部材４２２ａと４２２ｂとの間に配設し、かつ膜４８２に取り付けた一片の接着材４６４を膜部材４８２ａと４８２ｂとの間に配設する。そして、これら２つの接着材４６２および４６４を相互に付着させる。こうして、エレクトレット振動板４２０ａ、４２０ｂ、４８０ａおよび４８０ｂを相互に独立して振動させることができる。この考案では、接着材４６２および４６４は、両面テープが可能であり、かつこの２つの両面テープをより厚みのある（１つの）両面テープと置き換えることもできる。また、スペーサ３５０、４５０ａ、４５０ｂ、４７０ａおよび４７０ｂは、両面テープ等の接着材から製作される。
【００２３】
なお、上記のスピーカ３００、４００ａおよび４００ｂ以外にも、他の容量または圧電スピーカを、本考案の１以上のスピーカ１３０として使用することもできる。
【００２４】
再び図１および図５を参照して、図５は、本考案の帽子１００の底面図である。帽子１００のつば１２０の構造をはっきり示すために、装飾層１２４の一部を持ち上げて、支持層１２２の一部と１以上のスピーカ１３０の一部を開示する。本考案の帽子１００では、つば１２０は、上下表面１２６および１２８ならびに支持層１２２および装飾層１２４を有する。装飾層１２４は、綿布またはプラスチック材料から製作することができ、支持層１２２の上下表面を覆う。支持層１２２は、つば１２０が一定の形状を保つよう構成される。１以上のスピーカ１３０は、つば１２０の下表面１２８の上に配設される。たとえば、１以上のスピーカ１３０は、つば１２０内に隠れるように、支持層１２２と装飾層１２４との間に配設することができる。さらに、制御素子１６０のスイッチ１６２は、たとえばつば１２０のエッジ１２９上等、つば１２０の下表面１２８上に配設され、着用者が帽子１００を被った時にスイッチ１６２の操作に便利なようになっている。さらに、マイクロホン１７０も、帽子本体１００に隣接するつば１２０のエッジ１２９等、つば１２０の下表面１２８上に配設される。この位置は着用者の口に非常に接近しているので、マイクロホン１７０は、着用者の口から明確に音声を拾うことができる。なお、容量スピーカの導電性プレートを金属プレートで製作することができるので、本考案の帽子１００は、支持層１２２を含む必要がない。１以上のスピーカ１３０の導電性プレートは、つば１２０の支持層として機能し、つば１２０の一定の形状を保つことができる。
【００２５】
支持層１２２から装飾層１２４が離れることを防ぐため、装飾層１２４は、支持層１２２のエッジ１２２ａ付近で、ステッチ１２１で支持層１２２上に縫い付けられる。したがって、狭い収容空間１２３が、ステッチ１２１と支持層１２２のエッジ１２２ａとの間、および支持層１２２と装飾層１２４との間に形成される。制御素子１６０とマイクロホン１７０は、収容空間１２３内に配設されて、つば１２０上に固定することができる。こうして、制御素子１６０およびマイクロホン１７０は、固定して配置されかつ狭い収容空間１２３内で動いたりできない。なお、制御素子１６０およびマイクロホン１７０は、装飾層１２４に覆われるが、それでもスイッチ１６２を押して、着用者の口からの音声は、装飾層１２４を通って、マイクロホン１７０に届き明確に拾われる。したがって、装飾層１２４が存在するか否かは、スイッチ１６２の操作およびマイクロホン１７０の機能になんらの影響も及ぼさない。駆動回路１４０、無線信号送受信モジュール１５０および電源１８０を、これらの素子が、帽子１００を被った着用者の額に対応して配置されるように、帽子１１０の内部表面１１６等、帽子本体１１０内に配設することができる。帽子本体１１０において上記素子を動かないようにするため、収容バッグ１１８を、帽子本体１１０の内部表面１１６上でかつ着用者の額に対応して配設する。駆動回路１４０、無線信号送受信モジュール１５０および電源１８０は、収容バッグ１１８内に置かれる。電源１８０が太陽電池を含む場合には、太陽電池を帽子本体１１０の外表面１１４上および／またはつば１２０の上表面１２６上に配設して、より多くの光を受光するようにする。
【産業上の利用可能性】
【００２６】
本考案の帽子は、ゴルフ用帽子、野球帽子または自転車用帽子が可能である。本考案の帽子を着用するだけで、ユーザは、イアホンなしでも、屋外で音楽を聴くことができる。また、着用者は、帽子のマイクロホンを介して電話の呼び出しに応えることができる。本考案の帽子のスピーカは、細型でつばに取り付けることができるため、本考案の帽子は、外見上、普通の帽子と同様である。また、細型のスピーカなら従来技術のダイナミックタイプより電力消費が少ないので、バッテリを取り換えずに長時間継続して使用できる。最後に、細型スピーカは軽量なので、着用時、帽子のつばが下向きに傾斜して着用者の視界を妨げることもない。
【００２７】
考案の好ましい実施例について、説明目的で開示したが、当業者においては、添付の請求項に開示する考案の範囲および精神を逸脱することなく、さまざまな変形、追加および代替が可能であることが理解されるであろう。
【符号の説明】
【００２８】
１００  帽子
１１０  帽子本体
１２０  つば
１３０  スピーカ
１４０  駆動回路
１５０  無線信号送受信モジュール
１６０  制御素子
１６２  スイッチ
１７０  マイクロホン
１８０  電源
１９０  電子装置
３００  スピーカ
３２０  エレクトレット振動板
【図１】
0003165019.tif 000003
【図２】
0003165019.tif 000004
【図３】
0003165019.tif 000005
【図４】
0003165019.tif 000006
【図５】
0003165019.tif 000007